(57)【要約】【課題】汎用性の高い電力変換装置及びその設置方法を提供する。【解決手段】電力変換装置１は、互いに隣接した第一部分３及び第二部分４を有する本体２と、第一部分３及び第二部分４のいずれにも取り付け可能であり、本体２の固定に用いられる固定具１００と、を備え、第二部分４の外周面４ａは、第一部分３の外周面３ａを基準にして少なくとも一方向に膨出しており、固定具１００は、第一部分３に取り付けられる際には第一突出長Ｌ１で第一部分３から一方向に突出し、第二部分４に取り付けられる際には第一突出長Ｌ１に比べ短い第二突出長Ｌ２で第二部分４から一方向に突出するように構成されている。【選択図】図５
2017099107.tif 000002
【特許請求の範囲】
【請求項１】
互いに隣接した第一部分及び第二部分を有する本体と、
前記第一部分及び前記第二部分のいずれにも取り付け可能であり、前記本体の固定に用いられる固定具と、を備え、
前記第二部分の外周面は、前記第一部分の外周面を基準にして少なくとも一方向に膨出しており、
前記固定具は、前記第一部分に取り付けられる際には第一突出長で前記第一部分から前記一方向に突出し、前記第二部分に取り付けられる際には前記第一突出長に比べ短い第二突出長で前記第二部分から前記一方向に突出するように構成されている、電力変換装置。
【請求項２】
前記第一突出長は、前記第一部分の外周面と前記第二部分の外周面との前記一方向における段差に比べ大きい、請求項１記載の電力変換装置。
【請求項３】
前記固定具は、
前記第一部分に取り付けられる際には前記第一部分の外周面に対して起立し、前記第二部分に取り付けられる際には前記第二部分の外周面に面する第一面と、
前記第二部分に取り付けられる際には前記第二部分の外周面に対して起立し、前記第一部分に取り付けられる際には前記第一部分の外周面に面する第二面とを有する、請求項１又は２記載の電力変換装置。
【請求項４】
前記固定具には、前記第一部分に取り付けられた状態で前記本体の固定用のボルトを通すための第一孔と、前記第二部分に取り付けられた状態で前記本体の固定用のボルトを通すための第二孔とが設けられており、
前記第一孔は、前記本体の固定用のボルトの頭部を通して当該ボルトのネジ部に引っ掛け可能となるように設けられ、前記第一面に開口しており、
前記第二孔は、前記本体の固定用のボルトの頭部は通らないが当該ボルトのネジ部は通るように設けられ、前記第二面に開口している、請求項３記載の電力変換装置。
【請求項５】
前記第二孔は、前記第一部分への取り付け用のボルトの頭部は通らないが当該ボルトのネジ部は通るように設けられている、請求項４記載の電力変換装置。
【請求項６】
前記固定具には、前記第二部分への取り付け用のボルトを通すための第三孔が更に設けられており、
前記第三孔は、前記第二部分への取り付け用のボルトの頭部は通らないが当該ボルトのネジ部は通るように設けられ、前記第一面に開口している、請求項４又は５記載の電力変換装置。
【請求項７】
前記固定具には、前記第一部分に取り付けられた状態で前記本体の固定用のボルトを通すための第一孔と、前記第二部分に取り付けられた状態で前記本体の固定用のボルトを通すための第二孔とが設けられており、
前記第一孔は、前記本体の固定用のボルトの頭部を通して当該ボルトのネジ部に引っ掛け可能となるように設けられており、
前記第二孔は、前記本体の固定用のボルトの頭部は通らないが当該ボルトのネジ部は通るように設けられている、請求項１又は２記載の電力変換装置。
【請求項８】
前記第二部分は回路基板を収容し、
前記第一部分は冷却フィンを有する、請求項１〜７のいずれか一項記載の電力変換装置。
【請求項９】
前記第二部分の前記外周面は、前記第一部分及び前記第二部分が並ぶ方向における全域に亘って前記第一部分の外周面から少なくとも前記一方向に膨出している、請求項１〜８のいずれか一項記載の電力変換装置。
【請求項１０】
互いに隣接する第一部分及び第二部分を有し、前記第二部分の外周面が前記第一部分の外周面を基準にして少なくとも一方向に膨出している電力変換装置をシステムの筐体に収容することと、
前記第一部分及び前記第二部分の両方を前記筐体内に収容する場合に、第一突出長で前記第一部分から前記一方向に突出するように固定具を前記第一部分に取り付け、前記第一部分のうち前記第二部分の逆側を前記筐体の壁部に対向させた状態で、当該固定具のうち前記第一部分から突出した部分を当該壁部に固定することと、
前記第二部分を前記筐体内に収容し、前記第一部分を前記筐体外に露出させる場合に、第二突出長で前記第二部分から前記一方向に突出するように前記固定具を前記第二部分に取り付け、前記第二部分のうち前記第一部分側を前記筐体の壁部に対向させた状態で、当該固定具のうち前記第二部分から突出した部分を当該壁部に固定することと、を含む電力変換装置の設置方法。
【発明の詳細な説明】
【技術分野】
【０００１】
本開示は、電力変換装置及び電力変換装置の設置方法に関する。
【背景技術】
【０００２】
特許文献１には、ポンプ制御盤内に設置されるインバータ装置が開示されている。
【先行技術文献】
【特許文献】
【０００３】
【特許文献１】特開平１１−２２５４９８号公報
【発明の概要】
【発明が解決しようとする課題】
【０００４】
上記インバータ装置のように、制御盤内等に設置して用いられる電力変換装置には、設置個所に対し柔軟に適応可能な汎用性が求められる。本開示は、汎用性の高い電力変換装置及びその設置方法を提供することを目的とする。
【課題を解決するための手段】
【０００５】
本開示に係る電力変換装置は、互いに隣接した第一部分及び第二部分を有する本体と、第一部分及び第二部分のいずれにも取り付け可能であり、本体の固定に用いられる固定具と、を備え、第二部分の外周面は、第一部分の外周面を基準にして少なくとも一方向に膨出しており、固定具は、第一部分に取り付けられる際には第一突出長で第一部分から一方向に突出し、第二部分に取り付けられる際には第一突出長に比べ短い第二突出長で第二部分から一方向に突出するように構成されている。
【０００６】
本開示に係る電力変換装置の設置方法は、互いに隣接する第一部分及び第二部分を有し、第二部分の外周面が第一部分の外周面を基準にして少なくとも一方向に膨出している電力変換装置をシステムの筐体に収容することと、第一部分及び第二部分の両方を筐体内に収容する場合に、第一突出長で第一部分から一方向に突出するように固定具を第一部分に取り付け、第一部分のうち第二部分の逆側を筐体の壁部に対向させた状態で、当該固定具のうち第一部分から突出した部分を当該壁部に固定することと、第二部分を筐体内に収容し、第一部分を筐体外に露出させる場合に、第二突出長で第二部分から一方向に突出するように固定具を第二部分に取り付け、第二部分のうち第一部分側を筐体の壁部に対向させた状態で、当該固定具のうち第二部分から突出した部分を当該壁部に固定することと、を含む。
【発明の効果】
【０００７】
本開示によれば、汎用性の高い電力変換装置及びその設置方法を提供することができる。
【図面の簡単な説明】
【０００８】
【図１】電力変換装置の斜視図である。
【図２】電力変換装置の分解斜視図である。
【図３】電力変換装置の別方向からの斜視図である。
【図４】固定具の斜視図である。
【図５】第一方式で設置された電力変換装置を示す斜視図である。
【図６】第二方式で設置された電力変換装置を示す斜視図である。
【図７】電力変換装置を第一方式で設置する工程を示す図である。
【図８】図７に続く工程を示す図である。
【図９】図８に続く工程を示す図である。
【図１０】電力変換装置を第二方式で設置する工程を示す図である。
【図１１】図１０に続く工程を示す図である。
【発明を実施するための形態】
【０００９】
以下、実施形態について、図面を参照しつつ詳細に説明する。説明において、同一要素又は同一機能を有する要素には同一の符号を付し、重複する説明を省略する。
【００１０】
本実施形態に係る電力変換装置１は、交流電力（例えば商用の三相交流電力）又は直流電力を所望の周波数の交流電力（例えば三相交流電力）に変換して出力するものである。電力変換装置１は、例えば産業機器の制御システムに利用される。
【００１１】
１．電力変換装置の全体構成
まず、図１〜図３を参照し、電力変換装置１の具体的構成を例示する。以下の説明において、「上下」は、標準的な設置状態における上下を意味する。「前後左右」は、操作パネル（後述）側を前側とし、その逆側を後側とした方向を意味する。図示においては、Ｚ軸正方向が上方であり、Ｘ軸正方向が前方である。
【００１２】
電力変換装置１は、電力変換用の回路基板５を内蔵する本体２を有する。本体２は、互いに隣接する第一部分３及び第二部分４を有してもよく、回路基板５は第二部分４内に収容されていてもよい。第一部分３は、回路基板５の回路素子を冷却するために用いられてもよい。
【００１３】
より具体的に、本体２は筐体１０を有する。筐体１０は、回路基板５が配置される第一空間Ｓ１と、冷却用の流体の流路ＦＰ１を含む第二空間Ｓ２とを内部に有する。例えば筐体１０は、図２に示すように、ベース筐体２０と、第一カバー５０と、第二カバー６０とを有する。
【００１４】
ベース筐体２０は、後方に開放される第一部分３０と、前方に開放される第二部分４０とを有する。第一部分３０及び第二部分４０の間は隔壁２１により仕切られている（図３参照）。第二部分４０には、隔壁２１に対向するように回路基板５が設置される。回路基板５の下部には、入力出力用の電線を接続するためのターミナル５ｃが設けられている。
【００１５】
第一カバー５０は、前方から第二部分４０に装着され、ターミナル５ｃを開放した状態で回路基板５を覆う。第一カバー５０は、第二部分４０と協働して上記第一空間Ｓ１を形成する。
【００１６】
第二カバー６０は、前方から第一カバー５０に装着され、第一カバー５０及びターミナル５ｃを覆う。第二部分４０と、第一カバー５０と、第二カバー６０とによって、本体２の第二部分４が構成される。第二カバー６０の前面は、操作パネルとして用いられる。例えば、第二カバー６０の前面には、オペレータ６が配置される。
【００１７】
オペレータ６は、電力変換装置１のユーザによる入力を受け付け、電力変換装置１の内部情報を表示する。オペレータ６は第二カバー６０の前面に対して着脱自在であってもよい。
【００１８】
図３に示すように、第一部分３０は、内部に上記第二空間Ｓ２を形成する。第一空間Ｓ１及び第二空間Ｓ２は、隔壁２１により仕切られる。隔壁２１に開口が形成される場合、その開口は第二空間Ｓ２に属するものとする。すなわち、隔壁２１の前面が第一空間Ｓ１及び第二空間Ｓ２の境界である。
【００１９】
上述した流路ＦＰ１は、例えば次のように構成される。第一部分３０の下部には、通気口３２が形成され、第一部分３０の上部には少なくとも一つ（例えば二つ）のファン７０が取り付けられる。ファン７０が上方又は下方に空気を送ることで、第二空間Ｓ２内には、上下方向に沿う気流が形成される。この気流をなす空気が上記冷却用の流体の一例であり、当該空気の流路が流路ＦＰ１の一例である。第一部分３０によって、本体２の第一部分３が構成される。
【００２０】
第一部分３は、冷却フィン７を有してもよい。冷却フィン７は、例えば回路基板５の回路素子（例えばスイッチング素子）が生じた熱を放熱する。冷却フィン７は、第一部分３０内の第二空間Ｓ２において、流路ＦＰ１に配置されてもよい。
【００２１】
２．電力変換装置１の固定構造
（１）本体２の外形
第二部分４の外周面４ａは、第一部分３の外周面３ａを基準にして少なくとも一方向に膨出していてもよい。「外周面」とは、第一部分３及び第二部分４が並ぶ方向に沿う軸線（前後方向に沿う軸線）を囲む周面を意味する。外周面４ａは、前後方向における全域に亘って、外周面３ａから少なくとも一方向に膨出していてもよい。外周面４ａは、外周面３ａから一方向（例えば上方）のみに膨出していてもよいし、複数の方向に膨出していてもよい。例えば外周面４ａは、外周面３ａから上方及び左右方向に膨出していてもよいし、上下左右の全方位に膨出していてもよい。図示の例において、外周面４ａは、外周面３ａから上下左右の全方位に膨出している。以下、外周面４ａが外周面３ａから膨出する方向を「第一方向」という。
【００２２】
（２）固定具
電力変換装置１は、固定具１００を更に備えてもよい。固定具１００は、第一部分３及び第二部分４のいずれにも取り付け可能であり、本体２の固定に用いられる。固定具１００は、第一部分３に取り付けられる際には第一突出長Ｌ１で第一部分３から第一方向に突出し（図５参照）、第二部分４に取り付けられる際には第一突出長Ｌ１に比べ短い第二突出長Ｌ２で第二部分４から第一方向に突出する（図６参照）ように構成されている。第一突出長Ｌ１は、外周面４ａと外周面３ａとの第一方向における段差Ｈ１に比べ大きくてもよい。第一部分３に取り付けられた固定具１００の端部の位置と、第二部分４に取り付けられた固定具１００の端部の位置とは、第一方向において揃っていてもよい。
【００２３】
以下、図４〜６を参照し、固定具１００の具体的な構成例を説明する。この例において、固定具１００は、第一部分３及び第二部分４のいずれにおいても上部に取り付けられ、上方に突出する。
【００２４】
固定具１００の取り付け位置は、図示の例に限られない。例えば電力変換装置１は、第一部分３又は第二部分４の上部及び下部に固定具１００を取り付け可能となるように構成されていてもよいし、第一部分３又は第二部分４の左側部及び右側部に固定具１００を取り付け可能となるように構成されていてもよい。
【００２５】
固定具１００は、二つの面ＳＦ１，ＳＦ２を有する。面ＳＦ１（第一面）は、固定具１００が第一部分３に取り付けられる際には外周面３ａに対して起立し、固定具１００が第二部分４に取り付けられる際には外周面４ａに面する。面ＳＦ２（第二面）は、固定具１００が第二部分４に取り付けられる際には外周面４ａに対して起立し、固定具１００が第一部分３に取り付けられる際には外周面３ａに面する。
【００２６】
より具体的に、固定具１００は、断面Ｌ型の外形を有し、互いに直交する第一板部１１０及び第二板部１２０を有する。第一板部１１０及び第二板部１２０は、上記Ｌ型の断面に直交する方向（以下、この方向を「延伸方向」という。）に伸びている。第一板部１１０の表面は上記面ＳＦ１の一例であり、第二板部１２０の表面は上記面ＳＦ２の一例である。
【００２７】
第一板部１１０からの第二板部１２０の突出長は、第二板部１２０からの第一板部１１０の突出長に比べて短い。すなわち、面ＳＦ１に直交する方向における面ＳＦ２の長さは、面ＳＦ２に直交する方向における面ＳＦ１の長さに比べて短い。このため、上記第二突出長Ｌ２が上記第一突出長Ｌ１よりも短くなる。
【００２８】
なお、面ＳＦ１，ＳＦ２をなす構成は、ここに例示したものに限られない。例えば、直方体のブロックの外周面によっても、同様に面ＳＦ１，ＳＦ２を構成し、これらの長さの差異によって第一突出長Ｌ１及び第二突出長Ｌ２を相違させることができる。
【００２９】
固定具１００は、第一孔１１１及び第二孔１１２を有してもよい。第一孔１１１は、固定具１００が第一部分３に取り付けられた状態で本体２の固定用のボルト１３１を通すための孔である。第二孔１１２は、固定具１００が第二部分４に取り付けられた状態でボルト１３１を通すための孔である。一例として、第一孔１１１は第一板部１１０の二箇所に形成され、面ＳＦ１に開口している。二箇所の第一孔１１１は、例えば上記延伸方向の両端部にそれぞれ設けられている。第二孔１１２は第二板部１２０の二箇所に形成され、面ＳＦ２に開口している。二箇所の第二孔１１２は、例えば上記延伸方向の両端部にそれぞれ設けられている。
【００３０】
第一孔１１１は、ボルト１３１の頭部１３１ａを通して当該ボルト１３１のネジ部１３１ｂに引っ掛け可能となるように設けられている。例えば第一孔１１１は、主部１１１ａと、主部１１１ａの周縁から一方向（例えば面ＳＦ２の逆側）に広がった拡張部１１１ｂとを有する。以下、上記一方向を「拡張方向」という。主部１１１ａの内径は、ボルト１３１の頭部１３１ａの外径よりも大きい。一方、拡張部１１１ｂの幅（拡張方向に直交する方向における幅）は、頭部１３１ａの外径よりも小さく、ネジ部１３１ｂの外径よりも大きい。このため、主部１１１ａに頭部１３１ａを通した後に、拡張部１１１ｂ内にネジ部１３１ｂを導入できる。ネジ部１３１ｂが拡張部１１１ｂ内に位置する場合、頭部１３１ａは第一孔１１１内を通過できない。
【００３１】
第二孔１１２は、ボルト１３１の頭部１３１ａは通らないが当該ボルトのネジ部１３１ｂは通るように設けられている。例えば第二孔１１２の内径は、ネジ部１３１ｂの外径よりも大きく、頭部１３１ａの外径よりも小さい。第二孔１１２は、固定具１００を第一部分３に取り付けるためのボルト１３２の頭部１３２ａは通らないが、ボルト１３２のネジ部１３２ｂは通るように設けられていてもよい。例えば第二孔１１２の内径は、ネジ部１３２ｂの外径よりも大きく、頭部１３２ａの外径よりも小さくてもよい。これにより、第二孔１１２を利用して固定具１００を第一部分３に取り付けることが可能となる。第一部分３には、第二孔１１２に通されたボルト１３２をねじ込み可能な取付孔３１（図１参照）が形成されていてもよい。
【００３２】
固定具１００には、第二部分４への取り付け用のボルト１３３を通すための第三孔１１３が更に設けられていてもよい。一例として、第三孔１１３は第一板部１１０の二箇所に形成され、面ＳＦ１に開口している。二箇所の第三孔１１３は、二箇所の第一孔１１１の間において、上記延伸方向に並んでいる。第三孔１１３は、第二部分４への取り付け用のボルト１３３の頭部１３３ａは通らないが当該ボルト１３３のネジ部１３３ｂは通るように設けられていてもよい。例えば第三孔１１３の内径は、ネジ部１３３ｂの外径よりも大きく、頭部１３３ａの外径よりも小さくてもよい。第二部分４には、第三孔１１３に通されたボルト１３３をねじ込み可能な取付孔４１が形成されていてもよい（図１参照）。
【００３３】
なお、第二孔１１２同士の間隔（取付孔３１同士の間隔）と、第三孔１１３同士の間隔（取付孔４１同士の間隔）とは異なっていてもよい。これにより、固定具１００の誤った取り付けを防止できる。誤った取り付けとは、第一部分３に面ＳＦ１が面する取り付け、及び第二部分４に面ＳＦ２が面する取り付けである。更に、第一孔１１１同士の間隔と、第二孔１１２同士の間隔とが異なっていてもよい。これにより、固定具１００の誤った取り付けをより確実に防止できる。
【００３４】
（３）電力変換装置１の設置手順
上述したように、電力変換装置１は、産業機器の制御システム等に利用される。例えば電力変換装置１は、システム９００の筐体９１０内に設置される。本体２は、第一部分３及び第二部分４の両方を筐体９１０内に収容する第一方式、又は第一部分３及び第二部分４の一方を筐体９１０外に露出させる第二方式にて筐体９１０内に設置される。以下、各方式における設置手順を説明する。
【００３５】
第一方式の設置手順では、まず、図７に示すように、第一突出長Ｌ１で第一部分３から第一方向に突出するように固定具１００を第一部分３に取り付ける。例えば、面ＳＦ２が第一部分３の上部に面するように固定具１００を配置し、ボルト１３２により第一部分３に締結する。この前後において、ボルト１３１を筐体９１０の壁部９１１に仮止めしてもよい。
【００３６】
次に、第一部分３のうち第二部分４の逆側を筐体９１０の壁部９１１に対向させた状態で、固定具１００のうち第一部分３から突出した部分を壁部９１１に固定する。
ボルト１３１が筐体９１０の壁部９１１に仮止めされている場合には、図８に示すように、頭部１３１ａを第一孔１１１の主部１１１ａに通し、図９に示すように拡張部１１１ｂをネジ部１３１ｂに引っ掛ける。その後、ボルト１３１を締め付けて固定具１００を壁部９１１に締結する。
【００３７】
第二方式の設置手順については、一例として、第一部分３を筐体９１０外に露出させる場合を説明する。第二方式の設置手順では、まず、図１０に示すように、第二突出長Ｌ２で第二部分４から第一方向に突出するように固定具１００を第二部分４に取り付ける。例えば、面ＳＦ１が第二部分４の上部に面するように固定具１００を配置し、ボルト１３３により第二部分４に締結する。
【００３８】
次に、電力変換装置１を筐体９１０内に収容し、壁部９１１の開口９１１ａに第一部分３を通し、第二部分４のうち第一部分３側を壁部９１１に対向させる。次に、図１１に示すように、固定具１００のうち第二部分４から突出した部分を壁部９１１に固定する。例えばボルト１３１により、固定具１００を壁部９１１に締結する。
【００３９】
３．本実施形態の効果
以上に説明したように、電力変換装置１は、互いに隣接した第一部分３及び第二部分４を有する本体２と、第一部分３及び第二部分４のいずれにも取り付け可能であり、本体２の固定に用いられる固定具１００とを備える。第二部分４の外周面４ａは、第一部分３の外周面３ａを基準にして少なくとも一方向に膨出している。固定具１００は、第一部分３に取り付けられる際には第一突出長Ｌ１で第一部分３から一方向に突出し、第二部分４に取り付けられる際には第一突出長Ｌ１に比べ短い第二突出長Ｌ２で第二部分４から一方向に突出するように構成されている。
【００４０】
電力変換装置１では、第一部分３に固定具１００を取り付ける第一方式と、第二部分４に固定具１００を取り付ける第二方式の二方式での設置が可能である。第一方式においては、固定具１００は、第二突出長Ｌ２に比べ長い第一突出長Ｌ１で突出する。このため、第一部分３に固定具１００を取り付けた際に、第二部分４側から固定具１００にアクセスし易い。第二方式においては、固定具１００は、第一突出長Ｌ１に比べ短い第二突出長Ｌ２で突出する。このため、第二部分４に固定具１００を取り付けた際に、固定具１００を含む全体での占有スペースを抑制できる。これにより、省スペースと、取り付け作業性との両立を図りつつ、設置個所への適応性を高めることができる。従って、汎用性の高い電力変換装置を提供できる。
【００４１】
第一突出長Ｌ１は、第一部分３の外周面３ａと第二部分４の外周面４ａとの一方向における段差に比べ大きくてもよい。この場合、第一部分３に固定具１００を取り付けた状態で、第二部分４側から固定具１００に更にアクセスし易い。従って、取り付け作業性が更に向上する。
【００４２】
固定具１００は、第一部分３に取り付けられる際には第一部分３の外周面３ａに対して起立し、第二部分４に取り付けられる際には第二部分４の外周面４ａに面する面ＳＦ１と、第二部分４に取り付けられる際には第二部分４の外周面４ａ対して起立し、第一部分３に取り付けられる際には第一部分３の外周面３ａに面する面ＳＦ２とを有していてもよい。この場合、面ＳＦ１及び面ＳＦ２の幅を相違させるのみで、第一突出長Ｌ１及び第二突出長Ｌ２を相違させることができる。従って、固定具１００の構成を単純化できる。
【００４３】
固定具１００には、第一部分３に取り付けられた状態で本体２の固定用のボルト１３１を通すための第一孔１１１と、第二部分４に取り付けられた状態で本体２の固定用のボルト１３１を通すための第二孔１１２とが設けられていてもよい。第一孔１１１は、本体２の固定用のボルト１３１の頭部１３１ａを通して当該ボルト１３１のネジ部１３１ｂに引っ掛け可能となるように設けられ、面ＳＦ１に開口していてもよく、第二孔１１２は、本体２の固定用のボルト１３１の頭部１３１ａは通らないが当該ボルト１３１のネジ部１３１ｂは通るように設けられ、面ＳＦ２に開口していてもよい。
【００４４】
この場合、第一方式の設置に際し、固定用のボルト１３１を予め設置個所に仮留めした後に、当該ボルト１３１を第一孔１１１に通すことができる。このため、本体２を設置個所に容易に位置決めできるので、作業性が向上する。第一孔１１１は、第二突出長Ｌ２に比べ長い第一突出長Ｌ１で突出する面ＳＦ１に開口する。このため、当該ボルト１３１の頭部１３１ａが通るように第一孔１１１を大きくしても、電力変換装置の占有スペースの拡大は抑制される。一方、第二突出長Ｌ２で突出する面ＳＦ２に開口する第二孔１１２は、当該ボルト１３１の頭部１３１ａが通らないように形成されるので、第二突出長Ｌ２を短くして電力変換装置１の占有スペースが抑制される。第二孔１１２には当該ボルト１３１の頭部１３１ａが通らないので、第二方式の設置においては、当該ボルト１３１を予め設置個所に仮留めしておくことはできないが、第一部分３を設置個所に嵌合させることにより位置決め可能なので作業性は悪化しない。従って、省スペースと取り付け作業性の両立をよりよく図ることができる。
【００４５】
第二孔１１２は、第一部分３への取り付け用のボルト１３２の頭部１３２ａは通らないが当該ボルト１３２のネジ部１３２ｂは通るように設けられていてもよい。この場合、第二孔１１２を、第一方式における第一部分３への固定具１００の取り付けと、第二方式における設置個所への固定具１００の固定とに用いることができる。従って、孔数を減らし、固定具１００の強度を高めることができる。
【００４６】
固定具１００には、第二部分４への取り付け用のボルト１３３を通すための第三孔１１３が更に設けられていてもよく、第三孔１１３は、第二部分４への取り付け用のボルト１３３の頭部１３３ａは通らないが当該ボルト１３３のネジ部１３３ｂは通るように設けられていてもよい。この場合、固定具１００を第二部分４に取り付ける際には、第一孔１１１に代えて第三孔１１３を用いることにより、第三孔１１３の全周にボルト１３３の頭部１３３ａを掛けることができる。従って、固定具１００と第二部分４との固定強度を高めることができる。
【００４７】
第二部分４は回路基板５を収容し、第一部分３は冷却フィン７を有していてもよい。この場合、柔軟な適応性をより有効に活用できる。例えば、第一部分３及び第二部分４の両方を筐体９１０内に収容する設置と、第一部分３を筐体９１０外に露出させる設置とを使い分けることで、使用環境に応じて放熱性を調節できる。また、第二部分４の外周面の少なくとも一部が膨出している形状を有効活用し、回路基板５用に大きな収容スペースを確保できる。このことは、回路基板５自体の汎用性向上にも寄与し得る。
【００４８】
第二部分４の外周面は、第一部分３及び第二部分４が並ぶ方向における全域に亘って第一部分３の外周面から少なくとも一方向に膨出していてもよい。この場合、電力変換装置１の占有面積を大きくすることなく、第一部分３の内部空間をより有効に活用できる。
【符号の説明】
【００４９】
１…電力変換装置、２…本体、３…第一部分、３ａ…外周面、４…第二部分、４ａ…外周面、５…回路基板、７…冷却フィン、１００…固定具、１１１…第一孔、１１２…第二孔、１１３…第三孔、１３１…本体２の固定用のボルト、１３１ａ…頭部、１３１ｂ…ネジ部、１３２…第一部分３への取り付け用のボルト、１３２ａ…頭部、１３２ｂ…ネジ部、１３３…第二部分４への取り付け用のボルト、１３３ａ…頭部、１３３ｂ…ネジ部、Ｈ１…段差、Ｌ１…第一突出長、Ｌ２…第二突出長、ＳＦ１…面（第一面）、ＳＦ２…面（第二面）。
【図１】
2017099107.tif 000003
【図２】
2017099107.tif 000004
【図３】
2017099107.tif 000005
【図４】
2017099107.tif 000006
【図５】
2017099107.tif 000007
【図６】
2017099107.tif 000008
【図７】
2017099107.tif 000009
【図８】
2017099107.tif 000010
【図９】
2017099107.tif 000011
【図１０】
2017099107.tif 000012
【図１１】
2017099107.tif 000013